(57)【要約】【課題】巻線予熱方式を用いたインバータ式の放電灯点灯装置において、始動モードでランプが脱着されても異常な高電圧が発生しないようにすることで回路部品へのストレスを低減し、信頼性を高める。【解決手段】ランプ電圧の検出出力Ｖｋが所定の検出レベルＶｒを越えたときにインバータの出力を停止または低下させる保護回路３を備え、始動モードでは第１の検出レベルＶｒ１で保護回路３が動作し、安定点灯モードでは第２の検出レベルＶｒ２で保護回路３が動作し、第１の検出レベルＶｒ１は、放電灯Ｌａの始動に必要充分な始動電圧よりも高く、ランプ線の少なくとも１線が外れ、巻線予熱回路の予熱電流が流れなくなったときに発生するランプ印加電圧よりも低い電圧レベルに設定し、第２の検出レベルＶｒ２は、正常点灯時のランプ電圧より高く、ランプ寿命末期時のランプ電圧よりも低い電圧レベルに設定する。【選択図】図１
2009218178.tif 000002
【特許請求の範囲】
【請求項１】
高周波でスイッチングされるスイッチング素子と、スイッチングされた高周波により励振される共振用インダクタと共振用コンデンサよりなる共振回路とを備え、共振回路により生成された高周波電力により放電灯を始動・点灯させるインバータ式の放電灯点灯装置であって、
共振用インダクタの２次巻線より予熱用コンデンサを介して放電灯のフィラメントに予熱電流を供給する巻線予熱回路と、
ランプ電圧を検出する回路と、
ランプ電圧の検出出力が所定の検出レベルを越えたときにインバータの出力を停止または低下させる保護回路と、
放電灯の始動前に放電灯が点灯しないレベルでフィラメントに電流を流す予熱モードと、放電灯の始動に必要な高電圧を印加する始動モードを経て、安定点灯モードに移行するようにスイッチング素子を制御する制御回路とを有し、
ランプ電圧の検出レベルは少なくとも２つの検出レベルを有し、始動モードでは第１の検出レベルで保護回路が動作し、安定点灯モードでは第２の検出レベルで保護回路が動作し、
第１の検出レベルは、放電灯の始動に必要充分な始動電圧よりも高く、ランプ線の少なくとも１線が外れ、巻線予熱回路の予熱電流が流れなくなったときに発生するランプ印加電圧よりも低い電圧レベルに設定し、
第２の検出レベルは、正常点灯時のランプ電圧より高く、ランプ寿命末期時のランプ電圧よりも低い電圧レベルに設定することを特徴とする放電灯点灯装置。
【請求項２】
高周波でスイッチングされるスイッチング素子と、スイッチングされた高周波により励振される共振用インダクタと共振用コンデンサよりなる共振回路とを備え、共振回路により生成された高周波電力により放電灯を始動・点灯させるインバータ式の放電灯点灯装置であって、
共振用インダクタの２次巻線より予熱用コンデンサを介して放電灯のフィラメントに予熱電流を供給する巻線予熱回路と、
ランプ電圧を検出する回路と、
ランプ電圧の変化率が所定の検出レベルを越えたときにインバータの出力を停止または低下させる保護回路と、
放電灯の始動前に放電灯が点灯しないレベルでフィラメントに電流を流す予熱モードと、放電灯の始動に必要な高電圧を印加する始動モードを経て、安定点灯モードに移行するようにスイッチング素子を制御する制御回路とを有し、
ランプ電圧の変化率の検出レベルは、始動モードでは第１の検出レベルで保護回路が動作し、第１の検出レベルは、ランプ線の少なくとも１線が外れ、巻線予熱回路の予熱電流が流れなくなったときに発生するランプ印加電圧の上昇を検出できるように設定することを特徴とする放電灯点灯装置。
【請求項３】
高周波でスイッチングされるスイッチング素子と、スイッチングされた高周波により励振される共振用インダクタと共振用コンデンサよりなる共振回路とを備え、共振回路により生成された高周波電力により放電灯を始動・点灯させるインバータ式の放電灯点灯装置であって、
共振用インダクタの２次巻線より予熱用コンデンサを介して放電灯のフィラメントに予熱電流を供給する巻線予熱回路と、
ランプ電圧を検出する回路と、
放電灯の始動前に放電灯が点灯しないレベルでフィラメントに電流を流す予熱モードと、放電灯の始動に必要な高電圧を印加する始動モードを経て、安定点灯モードに移行するようにスイッチング素子を制御する制御回路とを有し、
前記制御回路は、始動モードにおいて、ランプ線の少なくとも１線が外れ、巻線予熱回路の予熱電流が流れなくなったときに発生する高電圧を抑制するように、ランプ電圧の検出出力が所定の検出レベルを越えないようにスイッチング素子の駆動周波数をフィードバック制御することを特徴とする放電灯点灯装置。
【請求項４】
高周波でスイッチングされるスイッチング素子と、スイッチングされた高周波により励振される共振用インダクタと共振用コンデンサよりなる共振回路とを備え、共振回路により生成された高周波電力により放電灯を始動・点灯させるインバータ式の放電灯点灯装置であって、
共振用インダクタの２次巻線より予熱用コンデンサを介して放電灯のフィラメントに予熱電流を供給する巻線予熱回路と、
放電灯の始動前に放電灯が点灯しないレベルでフィラメントに電流を流す予熱モードと、放電灯の始動に必要な高電圧を印加する始動モードを経て、安定点灯モードに移行するようにスイッチング素子を制御する制御回路とを有し、
放電灯を装着するランプソケットは、放電灯が外された場合にはランプソケット内の同極の２つの端子間を短絡することを特徴とする照明器具。
【発明の詳細な説明】
【技術分野】
【０００１】
本発明は熱陰極型の放電灯をインバータにより高周波点灯させるための放電灯点灯装置及びその照明器具に関するものである。
【背景技術】
【０００２】
図７は一般的なインバータ式の放電灯点灯装置の回路図である。バラストチョークであるインダクタＬ１の１次巻線Ｎ１と共振コンデンサＣ１とによりＬＣ共振回路が構成され、スイッチング素子Ｑ１，Ｑ２のスイッチング周波数を制御することにより放電灯Ｌａを始動・点灯させる。放電灯Ｌａのフィラメントを予熱する回路としては幾つもの回路方式があるが、本回路に示したように、バラストチョークであるインダクタＬ１の２次巻線Ｎ２，Ｎ３を用いた巻線予熱方式は低コストで実現できるため、多くの放電灯点灯装置に採用されている。
【０００３】
放電灯Ｌａを確実に始動し、放電灯Ｌａが短寿命にならないよう、インバータ式の放電灯点灯装置では、周知のように、次のシーケンスで放電灯Ｌａが始動される。まず、先行予熱（予熱モード）では、放電灯Ｌａのフィラメントのエミッション（熱電子放出）に必要な予熱電流を与える。次に、始動電圧印加（始動モード）では、ランプが始動するのに充分な高電圧を印加する。そして、点灯モードでは、放電灯Ｌａを所定の出力にて点灯させる。
【０００４】
これら３つのモードはインバータの発振周波数、すなわち、スイッチング素子Ｑ１，Ｑ２のスイッチング周波数を可変制御することにより順次、モードを切り替える。また、各モードの移行時には回路部品へのストレス軽減のため、緩やかに動作周波数を変化させる（図８）。
【０００５】
特許文献１には、熱陰極型の放電灯を巻線予熱方式を用いたインバータ式の放電灯点灯装置により高周波点灯させる構成において、寿命末期を検出するための検出回路が提案されているが、始動モードにおいて、放電灯が脱着された場合の共振電圧による部品ストレスについては考慮されていない。
【特許文献１】特開２００３−１６８５８４号公報
【発明の開示】
【発明が解決しようとする課題】
【０００６】
上述の３つのモードにおけるインバータの発振周波数の変化の一例を図８に示す。予熱モードの発振周波数をｆｙ、始動モードの発振周波数をｆｓ、点灯モードの発振周波数をｆｔと表したときの出力電圧を図９に示す。
【０００７】
各動作モードではバラストチョークであるインダクタＬ１の２次巻線Ｎ２，Ｎ３に電圧が発生し、各フィラメントに予熱電流が流れ、始動モードでは放電灯Ｌａを始動するのに充分な電圧Ｖｓが印加される。
【０００８】
図９において、放電灯Ｌａが正常に装着されている場合のランプ点灯前でのインバータの共振周波数ｆｏは次式で表される。
【０００９】
ｆｏ＝１／２π√（Ｌ１・Ｃ１）
ここで、Ｌ１はバラストチョークＬ１の１次巻線の実効インダクタンス、Ｃ１はコンデンサＣ１の静電容量である。
【００１０】
始動モードにおいて、ランプの１線が外れて、２次巻線側の電流が流れなくなると、インダクタＬ１の１次巻線と２次巻線の結合が無くなることで、１次巻線側の実効インダクタンスは減少する。このときのインダクタンスをＬ１’とすると、Ｌ１’＜Ｌ１となるため、インバータの共振周波数は高周波側にシフトする。このときの共振周波数をｆｏ’とする。始動モードの発振周波数がｆｓで固定の場合、インバータの共振周波数がｆｏからｆｏ’に変化すると、図１０のように出力電圧はＶｓからＶｓ’へと上昇し、回路部品に過大なストレスがかかる。
【００１１】
一方、最近の放電灯点灯装置に求められている機能として、複数の放電灯が使用可能なこと、低温でも確実に点灯すること等が挙げられる。図１１にランプの始動電圧の一例を示す。
【００１２】
最も条件の悪い状態（低温時）でも放電灯を確実に始動するため、インバータには非常に高い始動電圧を発生する能力が求められる。
【００１３】
このような中で前述のように始動モードでランプが脱着されるような場合を想定すると、電子部品に求められる定格電圧は益々高くなり、設計が複雑になるばかりでなく、コストアップの要因にもなる。
【００１４】
本発明はこのような点に鑑みてなされたものであり、巻線予熱方式を用いたインバータ式の放電灯点灯装置において、始動モードでランプが脱着されても異常な高電圧が発生しないようにすることで回路部品へのストレスを低減し、信頼性を高めることを課題とする。
【課題を解決するための手段】
【００１５】
請求項１の発明は、上記の課題を解決するために、図１に示すように、高周波でスイッチングされるスイッチング素子Ｑ１，Ｑ２と、スイッチングされた高周波により励振される共振用インダクタＬ１と共振用コンデンサＣ１よりなる共振回路とを備え、共振回路により生成された高周波電力により放電灯Ｌａを始動・点灯させるインバータ式の放電灯点灯装置であって、共振用インダクタＬ１の２次巻線より予熱用コンデンサＣ３，Ｃ４を介して放電灯Ｌａのフィラメントに予熱電流を供給する巻線予熱回路と、ランプ電圧を検出する回路２と、ランプ電圧の検出出力Ｖｋが所定の検出レベルＶｒを越えたときにインバータの出力を停止または低下させる保護回路３と、放電灯Ｌａの始動前に放電灯Ｌａが点灯しないレベルでフィラメントに電流を流す予熱モードと、放電灯Ｌａの始動に必要な高電圧を印加する始動モードを経て、安定点灯モードに移行するようにスイッチング素子Ｑ１，Ｑ２を制御する制御回路１とを有し、ランプ電圧の検出レベルＶｒは少なくとも２つの検出レベルＶｒ１，Ｖｒ２を有し、図２に示すように、始動モードでは第１の検出レベルＶｒ１で保護回路３が動作し、安定点灯モードでは第２の検出レベルＶｒ２で保護回路３が動作し、第１の検出レベルＶｒ１は、放電灯Ｌａの始動に必要充分な始動電圧よりも高く、ランプ線の少なくとも１線が外れ、巻線予熱回路の予熱電流が流れなくなったときに発生するランプ印加電圧よりも低い電圧レベルに設定し、第２の検出レベルＶｒ２は、正常点灯時のランプ電圧より高く、ランプ寿命末期時のランプ電圧よりも低い電圧レベルに設定することを特徴とするものである。
【００１６】
請求項２の発明は、同じ課題を解決するために、図３に示すように、高周波でスイッチングされるスイッチング素子Ｑ１，Ｑ２と、スイッチングされた高周波により励振される共振用インダクタＬ１と共振用コンデンサＣ１よりなる共振回路とを備え、共振回路により生成された高周波電力により放電灯Ｌａを始動・点灯させるインバータ式の放電灯点灯装置であって、共振用インダクタＬ１の２次巻線より予熱用コンデンサＣ３，Ｃ４を介して放電灯Ｌａのフィラメントに予熱電流を供給する巻線予熱回路と、ランプ電圧を検出する回路２と、ランプ電圧の変化率が所定の検出レベルＶｒを越えたときにインバータの出力を停止または低下させる保護回路３と、放電灯Ｌａの始動前に放電灯が点灯しないレベルでフィラメントに電流を流す予熱モードと、放電灯Ｌａの始動に必要な高電圧を印加する始動モードを経て、安定点灯モードに移行するようにスイッチング素子Ｑ１，Ｑ２を制御する制御回路１とを有し、ランプ電圧の変化率の検出レベルは、図４に示すように、始動モードでは第１の検出レベルで保護回路３が動作し、第１の検出レベルは、ランプ線の少なくとも１線が外れ、巻線予熱回路の予熱電流が流れなくなったときに発生するランプ印加電圧の上昇を検出できるように設定することを特徴とするものである。
【００１７】
請求項３の発明は、同じ課題を解決するために、図５に示すように、高周波でスイッチングされるスイッチング素子Ｑ１，Ｑ２と、スイッチングされた高周波により励振される共振用インダクタＬ１と共振用コンデンサＣ１よりなる共振回路とを備え、共振回路により生成された高周波電力により放電灯Ｌａを始動・点灯させるインバータ式の放電灯点灯装置であって、共振用インダクタＬ１の２次巻線より予熱用コンデンサＣ３，Ｃ４を介して放電灯Ｌａのフィラメントに予熱電流を供給する巻線予熱回路と、ランプ電圧を検出する回路２と、放電灯Ｌａの始動前に放電灯Ｌａが点灯しないレベルでフィラメントに電流を流す予熱モードと、放電灯Ｌａの始動に必要な高電圧を印加する始動モードを経て、安定点灯モードに移行するようにスイッチング素子Ｑ１，Ｑ２を制御する制御回路１とを有し、前記制御回路１は、始動モードにおいて、ランプ線の少なくとも１線が外れ、巻線予熱回路の予熱電流が流れなくなったときに発生する高電圧を抑制するように、ランプ電圧の検出出力が所定の検出レベルを越えないようにスイッチング素子Ｑ１，Ｑ２の駆動周波数をフィードバック制御することを特徴とするものである。
【００１８】
請求項４の発明は、同じ課題を解決するために、図６、図７に示すように、高周波でスイッチングされるスイッチング素子Ｑ１，Ｑ２と、スイッチングされた高周波により励振される共振用インダクタＬ１と共振用コンデンサＣ１よりなる共振回路とを備え、共振回路により生成された高周波電力により放電灯Ｌａを始動・点灯させるインバータ式の放電灯点灯装置であって、共振用インダクタＬ１の２次巻線より予熱用コンデンサＣ３，Ｃ４を介して放電灯Ｌａのフィラメントに予熱電流を供給する巻線予熱回路と、放電灯Ｌａの始動前に放電灯Ｌａが点灯しないレベルでフィラメントに電流を流す予熱モードと、放電灯Ｌａの始動に必要な高電圧を印加する始動モードを経て、安定点灯モードに移行するようにスイッチング素子Ｑ１，Ｑ２を制御する制御回路とを有し、放電灯Ｌａを装着するランプソケット４は、放電灯Ｌａが外された場合にはランプソケット４内の同極の２つの端子ａ−ｂ間を短絡することを特徴とするものである。
【発明の効果】
【００１９】
請求項１，２の発明によれば、巻線予熱方式を用いたインバータ式の放電灯点灯装置において、始動モードにおける放電灯への印加電圧またはその変化率を監視し、その検出出力が所定の検出レベルを越えた場合にはインバータの出力を停止または低下させるようにしたので、始動モードでランプが脱着されても異常な高電圧が発生しないようにすることができ、回路部品へのストレスを低減し、信頼性を高めることができる。
【００２０】
請求項３の発明によれば、巻線予熱方式を用いたインバータ式の放電灯点灯装置において、ランプ電圧の検出出力が所定の検出レベルを越えないようにスイッチング素子の駆動周波数をフィードバック制御するようにしたから、始動モードにおいて、ランプ線の少なくとも１線が外れ、巻線予熱回路の予熱電流が流れなくなったときに発生する高電圧を抑制することができ、回路部品へのストレスを低減し、信頼性を高めることができる。
【００２１】
請求項４の発明によれば、放電灯を装着するランプソケットは、放電灯が外された場合にはランプソケット内の同極の２つの端子間を短絡するものであるから、始動モードでランプが脱着されても異常な高電圧が発生しないようにすることができる。
【発明を実施するための最良の形態】
【００２２】
（実施形態１）
図１は本発明の実施形態１の回路図である。直流電源Ｖｄｃは、商用交流電源を整流して昇圧チョッパ回路で昇圧し、平滑コンデンサで平滑して直流電圧を得た電源であり、グランドＧｎｄに対して正の電位となっている。直流電源ＶｄｃとグランドＧｎｄの間には、２個のスイッチング素子Ｑ１，Ｑ２を直列に接続し、そのスイッチング素子Ｑ１，Ｑ２を制御回路１で交互にオン／オフさせる回路構成になっている。スイッチング素子Ｑ２の両端には共振用インダクタＬ１、共振用コンデンサＣ１の直列回路が接続されている。共振用コンデンサＣ１の両端には、直流カット用コンデンサＣ２を介して放電灯Ｌａが接続されている。共振用インダクタＬ１、共振用コンデンサＣ１並びに直流カット用コンデンサＣ２により共振回路が構成され、スイッチング素子Ｑ１，Ｑ２を高周波で交互にオン／オフすることにより高周波電力を放電灯Ｌａに供給する。
【００２３】
共振用インダクタＬ１には２個の予熱用巻線を磁気結合して設け、各々の予熱用巻線を予熱用コンデンサＣ３，Ｃ４を介して放電灯Ｌａのフィラメントに接続している。図中の端子ａ−ｂ、端子ｃ−ｄはランプソケットの端子であり、放電灯Ｌａのランプピンに着脱自在に接続される。放電灯Ｌａは熱陰極蛍光灯であり、端子ａ−ｂ間に第１のフィラメントを有し、端子ｃ−ｄ間に第２のフィラメントを有している。
【００２４】
放電灯Ｌａの両端には、ランプ電圧に応じたＤＣ電圧Ｖｋを出力できる検出回路２が接続されている。この検出回路２は端子ｂ−ｄ間に直列に接続された抵抗Ｒ１，Ｒ２、ダイオードＤ１、抵抗Ｒ３と、抵抗Ｒ３に並列接続されたコンデンサＣ５と、ダイオードＤ１と抵抗Ｒ３の直列回路に対して逆並列に接続されたダイオードＤ２とから構成されている。
【００２５】
検出回路２より出力されたＤＣ電圧ＶｋがコンパレータＣＰ１の＋入力端子に接続され、このＤＣ電圧が所定の検出レベル（基準電圧Ｖｒ）以上になると、信号を制御回路１へ出力する。
【００２６】
コンパレータＣＰ１の−入力端子には、制御回路１から供給される一定電圧Ｖｃを抵抗Ｒ４，Ｒ５，Ｒ６により分圧した基準電圧Ｖｒが印加されている。抵抗Ｒ６にはコンデンサＣ６とトランジスタＴｒ１が並列に接続されている。トランジスタＴｒ１は制御回路１からの制御信号Ｖｂによりオン／オフを制御される。コンパレータＣＰ１とその基準電圧生成用の抵抗Ｒ４，Ｒ５，Ｒ６、コンデンサＣ６、トランジスタＴｒ１により保護回路３が構成されている。制御回路１は、保護回路３からの出力信号Ｖａを受けると発振停止もしくは出力低下させる動作を行う。
【００２７】
制御回路１はスイッチング素子Ｑ１，Ｑ２のオン／オフを制御して、予熱モード、始動モード、点灯モードを制御している。予熱モードは放電灯Ｌａのフィラメントに必要な予熱電流を与えるモードである。始動モードは放電灯Ｌａを始動・点灯させるために高電圧を発生させるモードである。点灯モードは放電灯Ｌａを所定の出力にて点灯させるモードである。
【００２８】
放電灯Ｌａが不活性な場合、始動モードは高電圧を発生させるため、共振用コンデンサＣ１、共振用インダクタＬ１とも高いストレスが印加されている。共振回路における部品のストレスを各部品の定格以内で動作させるため、図２に示すように、検出レベルＶｒを第１のレベルＶｒ１に設定して保護回路３を動作させる。
【００２９】
また、点灯モードでは放電灯Ｌａの寿命末期状態を検出するために、検出レベルＶｒを第２のレベルＶｒ２に下げる。検出レベルＶｒ２は、正常点灯状態でのランプ電圧に応じたＤＣ電圧Ｖｋよりも高く、ランプ寿命末期のランプ電圧に応じたＤＣ電圧Ｖｋよりも低く設定する。
【００３０】
検出レベルＶｒを第１のレベルＶｒ１と第２のレベルＶｒ２とに変化させるには、制御回路１からトランジスタＴｒ１の制御端子（ベース電極）に出力される制御信号Ｖｂを変化させることにより制御している。
【００３１】
本実施形態によれば、始動モードにおいても放電灯Ｌａへの印加電圧を監視し、その検出出力Ｖｋが所定の検出レベルＶｒ１を越えた場合にはインバータの出力を停止または低下させるようにしたので、始動モードで放電灯Ｌａが脱着されても異常な高電圧が発生しないようにすることができ、回路部品へのストレスを低減し、信頼性を高めることができる。また、検出回路２や保護回路３の構成は、点灯モードにおける放電灯の寿命末期検出回路の構成を流用することができるので、回路構成を簡単化できる。
【００３２】
（実施形態２）
図３は本発明の実施形態２の回路図である。本実施形態においては、図１の実施形態に比べると、検出回路２の構成が異なり、検出回路２の出力部に微分用のコンデンサＣ７を備えている。
【００３３】
図４は本実施形態の動作波形図である。始動モードにおいて、ランプの１線が外れた状態になると、始動時の出力電圧が急激に上昇し、検出回路２と保護回路３を結合するコンデンサＣ７の働きで、コンパレータＣＰ１の＋入力側に電圧Ｖｋが生じる。この電圧Ｖｋが基準値Ｖｒ以上になると、保護回路３から制御回路１へ制御信号Ｖａが出力され、インバータの発振を停止する。あるいは出力電圧を減ずる方向にインバータの発振周波数をシフトすることにより部品を保護する。
【００３４】
ただし、予熱モードから始動モードへの移行時の誤動作を防ぐために、始動モードに入るまでは電圧Ｖｋを検出しないようにマスク時間を設けておく。制御回路１がマイクロコンピュータよりなる場合には、マスク時間はプログラムにより設定可能である。
【００３５】
（実施形態３）
図５は本発明の実施形態３の回路図である。本実施形態においては、図１の実施形態に比べると、コンパレータＣＰ１に代えて、オペアンプＯＰ１を備えており、始動モードにおいて、ランプの１線が外れた状態になると、始動時の出力電圧が上昇し、検出回路２の電圧が上昇してオペアンプＯＰ１の出力電圧が低くなり、制御回路１による周波数制御用の基準電圧からの引き込み電流を増加させて、矩形波の発振周波数を高くし、それによってインバータの発振周波数を高くする。インバータの発振周波数を高くすることにより、共振回路の共振周波数から遠ざかる方向となることにより、始動モードの電圧を抑制する。
【００３６】
図５の回路では、制御回路１はインバータの発振周波数、すなわち、スイッチング素子Ｑ１，Ｑ２のオン・オフ駆動用の周波数を規定するための高周波発振器を内蔵しており、その発振周波数は制御回路１から供給される一定電圧Ｖｃを抵抗Ｒ１０，Ｒ１１により分圧した基準電圧により規定される。検出回路２による検出電圧Ｖｋが増大すると、基準電圧Ｖｒとの差分がオペアンプＯＰ１により反転増幅されて、オペアンプＯＰ１の出力電圧が低下するから、ダイオードＤ３、抵抗Ｒ９を介して基準電圧からの引き込み電流が増加し、制御回路１に入力される基準電圧は低下する。これにより、インバータの発振周波数は高くなるから、インバータの出力は抑制される。
【００３７】
このように検出回路２の出力電圧を制御回路１の周波数制御用の基準電圧にフィードバック制御することにより、何らかの異常により出力電圧が異常上昇することを防止し、回路部品を保護することができる。
【００３８】
（実施形態４）
図６は本発明の実施形態４の要部構成を示す回路図である。主回路構成は従来例（図７）と同じで良い。本実施形態では、ランプソケット４内の端子ａまたは端子ｂの少なくとも一方が外れた場合にランプ線が微小抵抗ｒを介して短絡されるソケット構造としたものである。図中、５はランプピン、６はランプフィラメントである。スイッチＳＷはランプピン５が端子ａ，ｂに接続されている間はオフされている。端子ａ，ｂの少なくとも一方が外れると、スイッチＳＷがオンされて、端子ａ−ｂ間に微小抵抗ｒが接続される。微小抵抗ｒはフィラメント６の抵抗値に概ね等しい程度に設定しておく。本実施形態においては、ランプ線が１線外れた場合においても予熱電流Ｉｆが流れ続けるため、共振用インダクタＬ１の実効インダクタンスが低下することがなく、したがって、出力電圧が急激に上昇することがない。
【００３９】
上述の各実施形態の放電灯点灯装置は、事務所用や家庭用の蛍光灯照明器具に内蔵して用いることができる。また、複数の照明器具を組み合わせて照明システムを構成しても構わない。
【図面の簡単な説明】
【００４０】
【図１】本発明の実施形態１の回路図である。
【図２】本発明の実施形態１の動作説明図である。
【図３】本発明の実施形態２の回路図である。
【図４】本発明の実施形態２の動作説明図である。
【図５】本発明の実施形態３の回路図である。
【図６】本発明の実施形態４の要部回路図である。
【図７】従来例の回路図である。
【図８】従来例の周波数制御の説明図である。
【図９】従来例の共振回路の特性図である。
【図１０】従来例の問題点を示す説明図である。
【図１１】放電灯の始動電圧の温度依存性を示す特性図である。
【符号の説明】
【００４１】
１    制御回路
２    検出回路
３    保護回路
Ｑ１  スイッチング素子
Ｑ２  スイッチング素子
Ｌ１  共振用インダクタ
Ｃ１  共振用コンデンサ
Ｌａ  放電灯
【図１】
2009218178.tif 000003
【図２】
2009218178.tif 000004
【図３】
2009218178.tif 000005
【図４】
2009218178.tif 000006
【図５】
2009218178.tif 000007
【図６】
2009218178.tif 000008
【図７】
2009218178.tif 000009
【図８】
2009218178.tif 000010
【図９】
2009218178.tif 000011
【図１０】
2009218178.tif 000012
【図１１】
2009218178.tif 000013